(57)【要約】【課題】  ポンプヘッドを誤って斜めに操作した場合でも、ピストン弁の閉鎖時にシール性が損なわれ吸い上げ不良が生じないようにして、ポンプヘッドの操作が軽快に効率よく行われるようにした液吐出容器を提供すること。【解決手段】  ピストンとシリンダーおよびポンプヘッドとを具えたポンプを、取付キャップによって容器口部に取着した液吐出容器であって、ポンプヘッドに連設されたステムを、ステム案内筒に嵌挿し、ピストンガイドの上端部を、上記ステムに結合させ、結合部から下方のピストンガイドとステムとの間に、クリアランスを設けたことを特徴とする。【選択図】  図１
2005238197.tif 000002
【特許請求の範囲】
【請求項１】
ピストンとシリンダーおよびポンプヘッドとを具えたポンプを、取付キャップによって容器口部に取着した液吐出容器であって、
ポンプヘッドに連設されたステムを、ステム案内筒に嵌挿し、
ピストンガイドの上端部を、上記ステムに結合させ、
結合部から下方のピストンガイドとステムとの間に、クリアランスを設けたことを特徴とする液吐出容器。
【請求項２】
結合部から下方のピストンガイドとステムとのクリアランスを、ステムとステム案内筒下端との間のクリアランス以上としたことを特徴とする請求項１記載の液吐出容器。
【発明の詳細な説明】
【技術分野】
【０００１】
本発明は、液吐出容器、とくにポンプを取着した液吐出容器のポンプヘッドのステムとピストンガイドとの関連構造に関するものである。
【背景技術】
【０００２】
シリンダーとピストン、ポンプヘッドからなるポンプを容器口部に取着した液吐出容器において、ピストンガイドにポンプヘッドのステムを取付け、ポンプヘッドの押下げ操作によって内容液を吐出するようにした液吐出容器は、従来より周知であり、ポンプの吸込みにより吸込み口から粘性液が吸引され、胴部内に装着した粘性液を保持する摺動部材が上昇するようにしたもの、或いは、ポンプの吸込みにより吸上げパイプを介して内容液を吸上げるようにしたもの等が知られている。
【特許文献１】特開平１１−１４７５５７号公報
【特許文献２】特開平９−５８７３１号公報
【発明の開示】
【発明が解決しようとする課題】
【０００３】
上記特許文献のいずれの吐出容器においても、通常に使用する場合には、ポンプヘッドの操作は軽快になされるが、使用者によっては、吐出ノズルの方向に力を入れ、ポンプヘッドを斜めにした状態で操作する場合がある。
ステムの上下動を案内するステム案内筒とステムとの間に、ステムをスムーズに摺動させるため、一定のクリアランスが設けられているから、ポンプヘッドを斜めに操作した場合には、ピストンガイドも傾斜して移動することになり、ピストン弁とピストンガイドのフランジの弁座との接合が弱まることがあった。
【０００４】
したがって、使用者が、ポンプヘッドを誤って斜めに操作すると、ピストン弁の閉鎖時に、シール性が損なわれて吸い上げ不良が生じたりして、ポンプヘッドの操作が軽快に効率よく行われなくなるおそれがあった。
【０００５】
本発明は、上記の事情を考慮して、ポンプヘッドを誤って斜めに操作した場合でも、ピストン弁の閉鎖時にシール性が損なわれ吸い上げ不良が生じないようにして、ポンプヘッドの操作が軽快に効率よく行われるようにした液吐出容器を提供することを目的とする。
【課題を解決するための手段】
【０００６】
本発明は、上記の課題を解決するため、液吐出容器として、ピストンとシリンダーおよびポンプヘッドとを具えたポンプを、取付キャップによって容器口部に取着した液吐出容器であって、ポンプヘッドに連設されたステムを、ステム案内筒に嵌挿し、ピストンガイドの上端部を、上記ステムに結合させ、結合部から下方のピストンガイドとステムとの間に、クリアランスを設けたことを特徴とする構成を採用する。
【０００７】
クリアランスの実施態様として、結合部から下方のピストンガイドとステムとのクリアランスを、ステムとステム案内筒下端との間のクリアランス以上としたことを特徴とする構成を採用する。
【発明の効果】
【０００８】
ステムとピストンガイドとの結合部を、ピストンガイドの上端近くに配設し、結合部の下方に、ステムとピストンガイドとの間にクリアランスを設け、ピストンガイドに対してステムが傾斜できるようにしたから、ポンプヘッドの斜め操作によりステムが傾斜しても、ピストン弁の閉鎖時に内容液の吸上げ不良が発生したりすることを防ぐことができた。
そのことにより、ポンプヘッドを斜め操作した場合にも、ピストンの作動が効率よく行われ、押下げ操作を軽快にすることができる。  
【発明を実施するための最良の形態】
【０００９】
次に、本発明の液吐出装置について、図面を参照して説明する。
図１において、Ａは粘性液を収納した容器、Ｂはポンプ、Ｃはポンプ取付キャップである。
【００１０】
容器Ａは、口部１と肩部２、胴部３と胴部３の下端に嵌着された底蓋４とからなり、口部１外周には、ねじ５が螺設されており、胴部３内には摺動部材６が嵌挿されている。
摺動部材６は、板体７ａと、環状の摺動スカート７ｂとを具えており、容器Ａ内を密閉するとともに、胴部３内周面に摺動可能となっている。
底蓋４は、外周縁に連設された嵌着筒８と中央部に立設された支持筒９とを具え、支持筒９の外側には空気流入口が穿設されている。
【００１１】
図１、２に示すように、ポンプＢは、シリンダーＢ１と、ピストンＢ２、ピストンＢ２に連設されたポンプヘッドＢ３とからなっている。
シリンダーＢ１は、上端にフランジ１０を設けたシリンダー筒１１と、吸込口１２を穿孔した底壁１３とからなり、底壁１３の上面には、吸込口１２を開閉する吸込弁１４を具えた保持環１４ａが嵌着されている。
【００１２】
ピストンＢ２は、ピストンガイド１５と、該ピストンガイド１５の下端に連設されたフランジ１６と、ピストン弁１７とから構成されている。
ピストンガイド１５は、底壁１８を有する筒体であって、その下端近くの所定の位置には、連通孔１９が穿孔されている。
【００１３】
フランジ１６は、底壁１８の底面近くの外周から突設され、フランジ１６上面には、環状の弁座２０が立設され、外周縁には、複数の流通路２１が設けられ、その下面２２は、ピストンの最下降位置で、吸込弁１４の保持環１４ａに圧接されるようになっている。
【００１４】
ピストン弁１７は、外側筒２３と内側筒２４、連結部２５とからなり、外側筒２３は、シリンダー筒１１内周面に圧接摺動するようになっており、連結部２５下方の内側筒２４の外周面は弁座２０との接合面２６とされ、フランジ１６の弁座２０と圧接、離間可能となっており、離間時に弁孔を形成するようになっている。
ピストンガイド１５の底壁１８とフランジ１６、シリンダー筒１１と、その底壁１３によってポンプ室Ｐが形成されている。
【００１５】
ポンプヘッドＢ３は、頂壁３０と、下端に膨出部を突設した外周壁３１，頂壁３０下面の中央部に垂設されたステム３２と、外周壁３１から突設され、ステム３２内部に連通する吐出ノズル３３とからなっている。
ステム３２は、リブ３４によって位置決めされ、上下二つの膨出部３５を介してピストンガイド１５上端部と嵌着されており、両者の結合部３６が形成されている。
【００１６】
ステム３２の膨出部３５の下方は拡径され、図３に示すように、ステム３２内周とピストンガイド１５の外周との間に、一定のクリアランスＣ１が設けられている。
ステム３２の下端内周は、さらに拡径されて作動筒３７が形成され、ピストン弁１７の内側筒２４の外周に当接するとともに、連結部２５と接合可能となっている。
【００１７】
ポンプ取付キャップＣは、図１，２に示すように、外周筒４０と上壁４１、上壁４１の外周縁に立設された案内筒４２，および上壁４１の内周に連設されたステム案内筒４３とから構成されている。
外周壁４０の内周には、容器口部１外周のねじ５に螺合するねじ４４が螺設されており、ポンプ取付時には、上壁４１によってシリンダーＢ１のフランジ１０を、容器Ａの口部１天面にパッキン４５を介して取着するようになっている。。
【００１８】
ステム案内筒４３は、その内周がステム３２の上下動を案内するとともに、その下部外周がシリンダー筒１１の内周面に接合されており、下端は、ピストン弁１７の上昇規制部４６となっている。
図３に示すように、ステム案内筒４３とステム３２との間には、ステム３２をスムーズに摺動させるために、クリアランスＣ２が設けられている。
ステムとステム案内筒の構成として、ステムは、ポンプヘッドと一体に成形しても、別体のものを連設してもよく、また、ステム案内筒は、ポンプ取付キャップと一体に成形しても別体のものを連設してもよい。
【００１９】
ポンプ取付キャップＣの上壁４１と、ポンプヘッドＢ３の頂壁３０から垂設されたばね受けリブとの間には、ばね４７が弾装されている。
【００２０】
次に、本液吐出容器の作用効果について説明する。
まず、本液吐出容器の液吐出作用について説明すると、容器Ａには、内容物として粘性液が収納されており、ポンプヘッドＢ３をばね４７の弾撥力に抗して押下げると、図４に示すように、ピストン弁１７と弁座２０の間に形成される弁孔が開かれ、ポンプ室Ｐ内の内容物は流通路２１、弁孔、連通孔１９を通じてピストンガイド１５内に入り、ステム３２内を通って吐出ノズル３３から吐出される。
【００２１】
ポンプヘッドＢ３から手を離すと、ばね４７の弾撥力によって、ポンプヘッドＢ３が上昇し、ピストンＢ２が上昇を開始することによってフランジ１６の弁座２０とピストン弁１７が接合して弁孔が閉鎖され、ピストンＢ２の上昇とともに、ポンプ室Ｐ内が負圧となって吸込弁１４が開かれ、容器Ａ内の内容物がポンプ室Ｐ内に吸込まれる。
次に、ポンプヘッドＢ３を再び押下げると、吐出ノズル３３から内容物が吐出される。
【００２２】
次に、斜め操作時の作用効果について、実施例に示した形状に基づいて詳しく説明する。
実施例では、図３に示すように、ポンプヘッドＢ３が最上昇位置にある時、作動筒３７より上方のステム３２の下端部とピストンガイド１５との間のクリアランスをＣ１、ステム案内筒４３下端部とステム３２との間のクリアランスをＣ２、ステム案内筒４３上端部とステム３２との間のクリアランスをＣ３とすると、
Ｃ３＞Ｃ２、Ｃ２＝Ｃ１  の関係にある。
ステム３２とステム案内筒４３が同一のテーパーが付けられている場合には、
Ｃ１＝Ｃ２＝Ｃ３  となる。
【００２３】
また、クリアランスの値は、上記関係に限定されず、ステムの長さ等を考慮して任意に設定することができる。
【００２４】
ポンプヘッドＢ３の操作にあたって、吐出ノズル３３方向に傾斜させて操作すると、ステム３２とピストンガイド１５の間で、クリアランスＣ１がない場合には、図５に示すように、ステム案内筒４３上端部では、ステム３２は吐出ノズル方向に偏寄し、ステム案内筒４３下端部では、上端部と同じ巾だけ吐出ノズルと反対方向に偏寄して、ステム案内筒４３の上下の間では、ステム３２は、下端は上端に対してクリアランスＣ２＋クリアランスＣ３だけ傾く場合があり、ポンプの中心線ａに対してステムの中心線ｂは、角度θだけ傾くことになる。
また、このとき、ステムと同様にピストンガイドの中心線もポンプの中心線ａに対して角度θだけ傾くことになる。
【００２５】
そして、ピストンＢ１の上昇時に、ピストン弁１７とフランジ１６の弁座２０との間の接合が離れて弁孔が部分的に開かれ、シール性が損なわれてポンプ室Ｐへの吸い上げ不良が生じることになる。
【００２６】
本発明の場合、結合部３６より下方のピストンガイド１５とステム３２との間には、クリアランスＣ１があるから、図６に示すように、ピストンガイド１５の中心線ｃは、ポンプＢの中心線ａにほぼ一致する。
したがって、ポンプヘッドを斜め操作してステム３２が傾斜する場合にも、ピストンガイド１５は傾斜しないので、ピストンＢ２のフランジ１６の外周がシリンダー筒１１内周に圧接したりすることはなく、また、ピストンＢ２上昇時に弁孔が開くことはない。
【００２７】
前記実施形態では、粘性液吐出ポンプについて説明したが、特許文献２に示したような容器から吸い上げパイプを介して、ポンプ室に内容物を吸上げるようにしたポンプ式吐出容器のピストンガイドとステムとの関連構造として適用することができ、斜め操作等による不都合をなくすことができる。
さらに、弾装されたコイルばねの切り始め端部に起因するステムの傾斜による場合も、斜め操作と同様に不都合を解消することができる。
【産業上の利用可能性】
【００２８】
ステムとピストンガイドとの結合部を、ピストンガイドの上端近くに配設し、結合部の下方では、ステムとピストンガイドとの間にクリアランスを設けたから、ステムが傾斜してもピストンガイドが斜めになることはなく、斜め操作による不都合をなくすことができる。  
【００２９】
ステムとピストンガイドとの関連構造は、粘性液吐出容器ばかりではなく、ポンプ式の液体吐出容器、噴霧容器などにも適用することができる。
また、内容液も粘性液以外のものでも使用できる。
【図面の簡単な説明】
【００３０】
【図１】本発明液吐出容器の断面立面図である。
【図２】ポンプを説明する断面立面図である。
【図３】ステム案内筒とステムおよびピストンガイドの関連構造を示す拡大説明図である。
【図４】ポンプヘッドの押下げ時の断面説明図である。
【図５】ステムとピストンガイドとの間にクリアランスがない従来品のポンプヘッド斜め操作時の状態説明図である。
【図６】本発明液吐出容器におけるポンプヘッド斜め操作時のステムとピストンガイドの状態説明図である。
【符号の説明】
【００３１】
Ａ        容器
Ｂ        ポンプ
Ｂ１      シリンダー
Ｂ２      ピストン      
Ｂ３      ポンプヘッド
Ｃ        取付キャップ
Ｃ１、Ｃ２、Ｃ３  クリアランス
Ｐ        ポンプ室
１        口部
２        肩部
３        胴部
４        底壁
６        摺動部材
１０      フランジ
１１      シリンダー筒
１２      吸込口
１３      底壁
１４      吸込弁
１５      ピストンガイド
１６      フランジ
１７      ピストン弁
１８      底壁
１９      連通孔
２０      弁座
２１      流通路
２２      下面
２３      外側筒
２４      内側筒
２５      連結部
２６      接合面
３０      頂壁
３１      外周壁
３２      ステム
３３      吐出ノズル
３５      膨出部
３６      結合部
４０      外周壁
４１      上壁
４２      案内筒
４３      ステム案内筒
４６      上昇規制部
４７      ばね
【図１】
2005238197.tif 000003
【図２】
2005238197.tif 000004
【図３】
2005238197.tif 000005
【図４】
2005238197.tif 000006
【図５】
2005238197.tif 000007
【図６】
2005238197.tif 000008